(57)【要約】【課題】簡単且つ迅速に使用でき、且つ特に長い髪の区分を完全に巻くことができ、及び／又はそれを着ける人の顔に魅力的な外見を与えることができるようなカーラーを提供する。【解決手段】一区分の髪（Ｍ）が巻き付けられるように設計された縦軸（Ｘ）を有する本体（２）、及び該本体の軸線方向の第１の端部（９）と一体であり、頭皮上に載置することができる面（４）を有する足部（３）を備えたカーラー（１）であって、前記面が、髪の区分を巻き付けることのできる本体部分の横断面の面積（Ｓ１）より大きな面積（Ｓ２）を有し、前記足部が、前記髪の区分の、前記本体に巻き付けられない部分（Ｍ１）を保持できる手段（７）を有し、前記本体がアームをし、該アームは本体を変形させることによって前記本体の部分に巻き付けられた髪の区分を保持する位置をとることができる、カーラー。【選択図】図１
2005305161.tif 000002
【特許請求の範囲】
【請求項１】
一区分の髪（Ｍ）が巻き付けられるように設計された縦軸（Ｘ）を有する本体（２）、及び該本体の軸線方向の第１の端部（９）と一体であり、頭皮上に載置することができる面（４）を有する足部（３）を備えたカーラー（１）であって、
前記面が、髪の区分を巻き付けることのできる本体部分の横断面の面積（Ｓ１）より大きな面積（Ｓ２）を有し、
前記足部が、前記髪の区分の、前記本体に巻き付けられない部分（Ｍ１）を保持できる手段（７）を有し、
前記本体がアームを有していて、該アームが、前記本体を変形させることによって、前記本体の部分に巻き付けられた髪の区分を保持する位置をとることができることを特徴とするカーラー。
【請求項２】
前記面が、前記本体の縦軸と、好ましくは直角をなして交差することを特徴とする、請求項１に記載のカーラー。
【請求項３】
前記足部が、前記髪の区分の部分を保持するスリット（７）を有することを特徴とする、請求項１又は２に記載のカーラー。
【請求項４】
前記スリットが、面取りされた入口（８）を有することを特徴とする、請求項３に記載のカーラー。
【請求項５】
前記スリットが、Ｖ字形のくぼみを形成していることを特徴とする、請求項３又は４に記載のカーラー。
【請求項６】
前記スリットが、前記本体と前記足部との結合部から離れた位置で広がることを特徴とする、請求項３ないし５のいずれか１項に記載のカーラー。
【請求項７】
前記足部が、前記本体の周面を越えて側方に延び且つ髪の区分の部分（Ｍ２）を頭皮から真直ぐに伸ばして保持できるような厚みを有する部分を備えることを特徴とする、請求項１ないし６のいずれか１項に記載のカーラー。
【請求項８】
前記足部の部分が、髪の区分の前記部分を保持するスリット（７）を有し、該スリット（７）が前記面まで延びていることを特徴とする、請求項７に記載のカーラー。
【請求項９】
前記足部手段が、弾性的に変形可能であることを特徴とする、請求項１ないし８のいずれか１項に記載のカーラー。
【請求項１０】
前記本体が、少なくとも部分的に、エラストマー、或いは連続気泡型又は独立気泡型の発泡体等の弾性変形可能な材料からなることを特徴とする、請求項１ないし９のいずれか１項に記載のカーラー。
【請求項１１】
前記足部及び前記本体が、同じ材料からなることを特徴とする、請求項１ないし１０のいずれか１項に記載のカーラー。
【請求項１２】
前記足部は本質的に平行六面体の形状であることを特徴とする、請求項１ないし１１のいずれか１項に記載のカーラー。
【請求項１３】
前記足部が本体の縦軸方向の一方の端部（９）と結合していることを特徴とする、請求項１ないし１２のいずれか１項に記載のカーラー。
【請求項１４】
前記足部が前記本体に接着により結合されていることを特徴とする、請求項１ないし１３のいずれか１項に記載のカーラー。
【請求項１５】
前記足部が超音波溶接によって前記本体に溶接されていることを特徴とする、請求項１ないし１４のいずれか１項に記載のカーラー。
【請求項１６】
前記足部及び前記本体が一体であることを特徴とする、請求項１ないし１３のいずれか１項に記載のカーラー。
【請求項１７】
互いに平行な少なくとも２つの平面を有する１枚のパネルから型打ち成形されていることを特徴とする、請求項１ないし１６のいずれか１項に記載のカーラー。
【請求項１８】
前記本体には少なくとも部分的にねじ山が切られていることを特徴とする、請求項１ないし１７のいずれか１項に記載のカーラー。
【請求項１９】
前記本体には少なくとも部分的に鋸歯部が設けられていることを特徴とする、請求項１ないし１８のいずれか１項に記載のカーラー。
【請求項２０】
前記鋸歯部の歯が互い違いに配置されていることを特徴とする、請求項１９に記載のカーラー。
【請求項２１】
前記髪の区分が、前記本体の縦軸に沿ってらせん状に巻き付けられることを特徴とする、請求項１ないし２０のいずれか１項に記載のカーラー。
【請求項２２】
前記本体が不浸透性の外壁を有することを特徴とする、請求項１ないし２１のいずれか１項に記載のカーラー。
【請求項２３】
前記アームが、前記本体の、軸線方向に第１の端部から離れた第２の端部（１１）に形成されることを特徴とする、請求項１ないし２２のいずれか１項に記載のカーラー。
【請求項２４】
前記本体が半永久的に変形可能な補剛材（１２）を有し、これにより特に、前記本体の変形を保持されて、当該本体に巻き付けられる髪の区分をアームが保持できるようになっていることを特徴とする請求項１ないし２３のいずれか１項に記載のカーラー。
【請求項２５】
前記補剛材（１２）が、銅線等の、前記本体の内部に縦軸に沿って延びる長細い芯を有することを特徴とする、請求項２４に記載のカーラー。
【請求項２６】
前記補剛材（１２）が前記本体の第１の端部（９）で表面に現れ、前記足部によって覆われることを特徴とする、請求項２４又は２５に記載のカーラー。
【発明の詳細な説明】
【技術分野】
【０００１】
本発明は、一区分の髪に、特に髪の根元に近いこの区分の一部を処理することなく、一定の形状を付与するためのカーラーに関する。
【背景技術】
【０００２】
先行技術には、その周りに髪の一区分を巻き付けるような一般的に円筒形状の剛性部分からなる従来のカーラーがあり、このようなカーラーでは、髪のその区分が解けるのを防ぐために、巻き付けた髪と前記剛性部分との両方を通してピンを押し刺す。このようなカーラーにおける問題は、特に使用者が長い髪の区分をこの種のカーラーに巻き付けようとする場合に生じる。一区分の髪の全体の長さを１つのカーラーに巻き付けると、髪は、何重にも巻き付けられてしまう。しかし、髪をそれ自体の上に重ねて巻いていくこの構成は、髪に適用する製品を浸透させるのに不都合である。したがって、長い髪の区分を巻き付けて、巻き付けた髪の区分に製品を完全に浸透させることを可能にするためには、通常、髪の長さに沿って複数のカーラーに順々に髪を巻く。よって、必要なカーラーの数は２倍又は３倍となり、カーラーを髪にセットする時間も同様に増大する。
【０００３】
これに代わる多くのカーラーが知られており、特に特許文献１には、一区分の髪を巻き付けることのできる円筒状の剛性部分を備えているカーラーであって、半円筒形のシェルが該剛性部分の一方の端部にヒンジ止めされており、然るべき時に円筒形状の剛性部分の外周面上に閉じることが可能になっているものが開示されている。剛性部分のもう一方の端部から突出する変形可能な剛性エレメントを補助的に折り曲げることによって、シェルは剛性部分上で閉じた位置に保持される。
さらに、使用者が「自然な」印象を与える巻き毛を所望しているが、頭の頂点の髪が膨張しないようにしたい場合には、頭の頂部の髪を根元まで巻いてはならない。したがって、髪の巻き付けは、好ましくは髪の末端から始めて根元の手前で止めるか、又は逆に、根元の手前で止める。すると、カーラーは、根元近くの髪の区分の巻き付けられていない部分のそれぞれの端にぶら下がる。カーラーは頭の頂部全体にわたって配置され、頭の輪郭が拡張する。問題となるのは、巻き付けられていない髪の部分を束ねてはならないことであり、また、「自然な」印象を得ようとするならば、カーラーを頭の頂部に配置してはならないことである。したがって、使用者は、髪を処理する間、カーラーが取り外されるまで、顔の周りにカーラーをみっともなくぶら下げていることになる。
さらに、長い髪の使用者の場合、それぞれの髪の部分を付加的に巻いた各カーラーの重みによって、髪の根元が引っ張られる。このことは、長い髪の使用者が感じる不快感のよく知られた原因である。
このような欠点を有する特定のカーラーは、特許文献２ないし５に公知である。
【特許文献１】米国特許第５４８３９８０号明細書
【特許文献２】米国特許第２３７４８６０号明細書
【特許文献３】仏国特許第２１４６６９０号明細書
【特許文献４】米国特許第２００８６５６号明細書
【特許文献５】仏国特許第９８８１４２号明細書
【発明の開示】
【発明が解決しようとする課題】
【０００４】
本発明の課題は、簡単且つ迅速に使用でき、且つ特に長い髪の区分を完全に巻くことができ、及び／又はそれを着ける人の顔に魅力的な外見を与えることができるようなカーラーを提供することによって、上述の問題の少なくとも１つを解決することである。本発明によるカーラーは、一区分の髪を周りに巻き付けるように設計された縦軸（Ｘ）を有する本体と、この本体の第１の軸方向端部と一体形成された、頭皮に載置させることができる面を有する足部とを有しており、この面の面積が、本体の、髪の区分を巻き付けることができる部分の横断面の面積よりも大きく、足部は、前記本体に巻き付けない髪の区分の一部を保持する手段を有しており、本体はアームを有していて、このアームは本体を変形させることによって、本体の前記部分に巻き付けられた髪の区分を保持する位置をとることができる。
【課題を解決するための手段】
【０００５】
前記面は、例えば直角に、本体の縦軸と交差する。
有利には、足部は、髪の区分の前記部分を保持するスリットを有する。例えば、このスリットは足部を貫通して形成することができ、髪の区分の軸に沿って滑らせることによってこの髪の区分が挿入される。
【０００６】
しかし、好ましくは、スリットは足部の縁で広がり、この縁から到達可能な入口を有している。この場合、髪の区分は、髪の前記区分が形成する軸と実質的に直交する方向に直進させて挿入することができる。例えば、入口を面取りして、髪がスリットに簡単に挿入されるようにしてもよい。別の態様では、スリットがＶ字形の切欠きを足部に形成することもでき、これによりＶ字の２つのアームの間の空間が、髪をカーラーに対して導入する際に通る入口を画定する。この場合、Ｖ字形の２つのアーム間の結合領域がスリットの底部に相当し、ここに髪の区分を保持することができる。
有利には、スリットは、本体と足部との間の結合部から離れた場所で、足部から広がる。足部が本体の縦軸と０°以外の角度をなすので、足部で保持される髪の区分の第１の部分に続く髪の第２の部分は足部と本体との間に延び、髪の区分の残りが本体に巻き付けられる。したがって、髪の区分の第１の部分及び第２の部分は、本体に巻き付けられず、カールを形成しない。
【０００７】
足部は、好ましくは、第１の部分と、場合によっては第２の部分とが、カーラーに巻き付けるべき髪の区分の根元近くに位置するように構成されている。例えば、足部の頭皮上に配置される面は、髪の区分の第１の部分を頭皮から真直ぐに保持できるように構成される。この場合、足部は髪の区分の一部を保持するスリットを有し、このスリットが特に前記面まで延びていることが好ましい。スリットは、一平面内に画定されていてよく、このときこの平面は足部の前記面と０°以外の角度をなし、これによりスリット内に挿入された髪の区分が頭皮と０°以外の角度をなす。したがって、髪の区分は、頭皮から離れて保持される。
足部の厚みは、頭皮から真直ぐに保持することのできる髪の区分の一部の最小の長さに等しい。例えば、足部で保持される髪の区分の一部は、頭皮に対して９０°に保持される。本体は、例えば本体の周面を越えて側方に延びる部分を有している。
【０００８】
有利には、足部に形成されている、髪の区分の一部を保持するための手段は、弾性的に変形可能である。したがって、この手段は、髪の区分の前記部分上に弾性により閉じ、弾性的な負荷によりその髪の区分の部分を把持することができる。この手段がスリットの形態をとる場合、当該スリットは２つの対向する縁を有し、例えば休止時にはこれらの縁を互いに接触させておくことができ、また弾性により互いに分離させることができる。一区分の髪をスリットに挿入すると、２つの縁は元の休止位置に戻ろうとするので、これら２つの縁間の髪の区分の一部を押さえつけて保持する。
【０００９】
本体は、好ましくは、少なくとも部分的に弾性的に変形可能な材料、例えばエラストマー、もしくは連続気泡型又は独立気泡型の発泡体からなる。発泡体のような軽量の材料が好ましい。場合によっては、発泡体の外周面は、好ましくは開放された空孔を有し、これによりカーラーに髪がうまく嵌り、保持力が向上する。
【００１０】
足部及び本体は、有利には同じ材料からなる。さらに有利には、カーラー全体が単一の材料からなり、これにより、カーラーに髪を巻き付けた時に髪に適用しうる製品のすべてに対するカーラーの適合性テストが容易となる。
【００１１】
特別な一態様では、足部は、ほぼ平行六面体の形状であって、延長の主軸を有していてよい。この延長の主軸は、本体の縦軸と０°以外の角度をなす。
足部は、有利には、縦軸に対する本体の一方の端部と結合している。本体及び足部が、それぞれほぼ平行六面体の形状を有している場合には、カーラーの全体の形状は、特に本体の縦軸が足部の一面と直角をなす態様では、Ｌ字形である。
有利には、足部は本体に接着により結合される。別の態様では、例えば超音波溶接又は熱溶接によって本体に溶接される。別の態様では、足部と本体は一体である。
【００１２】
本発明によるカーラーは、好ましくは型打ち成形によって製造される。例えば、本体及び足部は、互いに平行な少なくとも２つの平坦な面を有する１枚のパネルから型打ち成形され、後の段階で一緒に結合される。
【００１３】
本体は、好ましくは髪の区分を簡単に巻き付けることができるような外周面を有している。例えば、本体には、少なくとも部分的にねじ山が切られており、当該ねじ山によって髪の巻き付けがガイドされるようになっている。別の態様では、本体には、少なくとも部分的に鋸歯部が設けられており、その歯は、好ましくは本体面上に規則的な間隔を置いて配置されている。本体がほぼ平行六面体である場合、本体は好ましくは対向する鋸歯部を備えた少なくとも２つの面を有しており、この場合、これら２つの面に設けられた鋸歯部は、一方の側の歯が、他方の側の２つの歯の間に位置する凹部に対向するように、互い違いとすることができる。
【００１４】
好ましくは、髪の区分を本体の縦軸を中心にらせん状に巻き付ける。
カーラーは、有利には不浸透性の外壁部を有し、よって、髪の区分に浸透させる製品をカーラーが吸収してしまい、髪の区分への最適な含浸が妨げられて、適用される製品の量が限られてしまうことが防止される。
有利には、髪の区分を完全に本体に巻き付ける場合、根元から始めて末端に向かって巻いていき、この末端を、前記アームによってカーラーの所定の位置に保持することができる。アームは通常、巻き付けを始める本体の縦方向の第１の端部から離れた本体の縦方向の第２の端部、詳細には本体に装着される足部と反対側の端部に位置している。巻き付けた髪を所定の位置に保持するために、アームを本体に対して第１の位置から第２の位置へと動かすことにより、巻き付けられた髪の区分の末端をアームと本体の一部との間で把持される第２の位置に保持する。
【００１５】
本体は、好ましくは、特に本体の変形を保持して本体の前記部分に巻き付けられた髪の区分をアームが保持できるように、半永久的に変形可能な補剛材を有している。本体を変形させると補剛材も変形し、これにより本体が、互いに交差する複数の連続したセグメントに沿って延びる。補剛材は、例えば、、剛性を有するが変形可能な長細いコア、例えば銅線とすることができ、本体内部で縦軸に沿って延びる。この補剛材は、好ましくは、足部によって覆われる本体の第１の端部で表面に現れるように設計される。
【発明を実施するための最良の形態】
【００１６】
本発明は、添付図面を参照しながら以下の説明を読むことによってより明確に理解されるであろう。図面は、単に発明を分かりやすくするものとして示したにすぎず、本発明を何ら制限するものではない。
【００１７】
図１に、使用者の髪の区分Ｍに配置されている本発明によるカーラー１を示す。このカーラー１は、縦軸Ｘを有する本体２を備えており、この縦軸Ｘは、本体２の延長部の主軸にも相当する。図示の態様では、本体２はほぼ平行六面体であり、縦軸Ｘは、この平行六面体の最長辺に平行である。髪の区分Ｍは、本体２にらせん状に巻きつけられている。本体２の縁は、好ましくは丸められており、よって本体２の周りで、髪に対して鋭い曲線が多数形成されることはない。本体２の外周面については後述する。
【００１８】
図１に示すように、本体２は、使用者の頭に対して、特に区分Ｍを分け取った頭の領域に対して、縦軸Ｘが頭のその面に対してほぼ直角になるように配置されている。ここで選択された区分Ｍは頭の頂部にあるので、本体２は、頭から顔の長手方向に延びている。髪全てをＭのような区分に分けて、符号１で示す個々のカーラーに巻き付けた場合、使用者の顔は、ハリネズミのハリのように、頭の外周面から放射状に延びるハリ状体で囲まれる。その時、カーラーは、頭を取り囲む花びらのようになっている。
使用者の頭に対する本体２の位置を維持するために、カーラー１は、足部を形成するベース部分３を有しており、この足部が頭に当てられる。このベース部分又は足部３は、本体２と一体である。
【００１９】
詳細には、足部３は、頭の方を向くように設計された第１の面４、及びその上に本体２との結合部を形成できる第２の面５を有している。縦軸Ｘは、この第２の面５に対して直角としてもよい。図示された実施例では、足部３は、ほぼ平行六面体の支持体から切り出された形状を有しており、この例においては、面４及び５は長方形であって互いに平行であり、本体２は第２の面５と直角に直立している。つまり、本体２は、第１の面４が当てられ且つ髪の区分Ｍが分け取られている頭の領域に対して直角に直立している。
例えば、この本体２は、髪が巻き付けられる部分を有している。この部分の、縦軸Ｘに対して垂直な平面にある横断面は、円形、三角形、正方形又は一般には多角形である。本体２のこの部分の横断面の表面積Ｓ１は、軸線Ｘに沿って変化してもよい。いずれにせよ、面積Ｓ１は第１の面４の面積Ｓ２よりも小さい。この面積Ｓ２は、面積Ｓ１の２倍より大きくてもよい。
したがって、縦軸Ｘが前記面４に対して直角である場合には特に、足部３は、図１〜３に示すように、本体２の少なくとも一方で側方に突出する。別の態様では、本体２は、上面５上に、この面の縁から間隔を置いて保持されてもよい。
【００２０】
図１〜４では、足部３、より詳細には足部３の第２の面５と縦軸Ｘとがなす角度６は、９０°である。足部３が延長部の主軸線を有している場合、この延長部の主軸は、縦軸Ｘと０°以外の角度をなしており、例えばその角度は、角度６にほぼ等しくなっていてよい。
髪に本発明によるカーラーを使用したときに形成される針状体の突出方向を頭に対して不規則な方向にしたい場合、別の態様では、カーラー１を、足部３と本体２の縦軸Ｘとの間で０°以外の角度であるが９０°ではない角度で装着することができる。
【００２１】
足部３は、好ましくは区分Ｍの根元に隣接して配置され、この区分Ｍの部分Ｍ１を、特に根元の近くで維持する手段を有している。詳細には、髪の区分Ｍの部分Ｍ１を、足部３の厚みを貫通して形成されたスリット７内に挿入する。足部の厚みは、面４と面５との間に画定された間隔に等しい。面４及び５が平行であるならば、その厚みは一定である。好ましくは、足部３の厚みを、スリット７で保持することのできる区分Ｍの部分Ｍ１の長さが著しく長くなるような厚みに選択することで、区分Ｍの部分Ｍ１が本体２に巻き付くことを確実に防ぐことができる。足部３は異なる厚みを有するように製造することもできる。
本発明によるカーラーの異なる態様の全てにおいて、区分Ｍの部分Ｍ１を保持する手段７、特にスリット７は、本体２から間隔を置いて足部３に形成されている。しかし、スリット７は、足部３の端から端まで、この足部３と本体２との結合部Ｊまで延びていることもできる。
【００２２】
図１〜３に示した態様では、縦軸Ｘに対する本体２の第１の軸方向端部９は、足部３の上面５に永久的に固定されている。この第１の端部９の面２０は、縦軸Ｘに対して直角に規定されている。この面２０は、角度６を約９０°にしようとする場合には特に、第２の面５の領域２１に溶接することができる。
別の態様（図示せず）では、本体２は、本体２の外壁部２２の、第１の端部９に位置する部分を足部３の端面２３に溶接することによって、足部３に永久的に固定することもできる。この端面２３は、面４及び５を互いに結合し、壁部２２は、好ましくは縦軸Ｘに対して平行である。
【００２３】
本体２及び/又は足部３を形成する材料に関係なく、結合領域Ｊが、足部３と縦軸Ｘとがなす角度６を規定し、且つ縦軸Ｘに対する足部３の角度位置を維持する。区分Ｍをカーラー１に巻きつけることによって、この角度位置が著しく変化してしまうことはない。本発明によるカーラー１の使用中及び耐用期間中を通じて、本体２と足部３との間の角度位置は基本的に不変である。
【００２４】
図１に示した例では、髪の区分Ｍの部分Ｍ１、つまり本体２に巻き付けていない部分を足部３に保持する手段はＶ字形のスリット７の形態であり、区分Ｍの部分Ｍ１はＶ字のくぼみに位置する。区分Ｍの残りの部分Ｍ２を本体２に巻き付けることにより、巻き付けた髪が所定の位置に保持され、その結果部分Ｍ１がさらにスリット７の所定の位置に収まることで、Ｖ字のくぼみに区分Ｍの部分Ｍ１が保持される。Ｖ字の開口によって、頭の前記区分Ｍに対して足部３を配置することが簡単になる。
【００２５】
別の態様（図２〜４ｂ参照）では、区分Ｍの部分Ｍ１を保持する手段７は、足部３の厚みに形成されたスリット７の形態である。このスリット７は、実際に互いに接している縁２４及び２５を有している。この形態では、足部３は、好ましくは弾性的に変形可能な材料からなっており、これにより縁２４及び２５を互いから離して髪の区分Ｍの部分Ｍ１を挿入することができる。この態様では、区分Ｍを挿入した後、縁２４及び２５はわずかに離れているが、常に元の接触の位置に戻ろうとする。これは、部分Ｍ１を所定の位置に維持するのを補助する。
スリット７は、好ましくは厚み全体にわたって延びている、つまり特に第１の面４から第２の面５へと端から端まで延びており、さらに、これらの２つの面を結合する端面２３へと延びている。特に、スリット７は、面４及び５に対して垂直な平面内に規定されており、例えば縦軸Ｘを通って延びている。
【００２６】
このようなカーラー１を所定の位置に配置するためには、髪の区分Ｍを頭から持ち上げ、髪の区分Ｍの軸に対して直角に、カーラー１を直進させて、区分Ｍをスリット７の開口又は入口８に入れ、この直進運動を続けて入口８からスリット７内へ区分Ｍを挿入する。スリット７の入口８は、縁２４と２５とが互いに接触する場合に特に、区分Ｍの挿入が簡単になるように面取りされている。また、好ましくは、図４ｂに示すように、スリット７が収容部４０を備えており、この収容部４０では縁２４及び２５は接触せず、選択された区分を配置させることができる空間が画定されており、この空間は、縁２４及び２５が弾性により互いの方向へと戻ることによって閉じられる。この収容部４０によって、より大きな直径を有する区分の髪を収容することができ、これにより、使用者の髪の全てをカールするために必要な区分の数が減る。
【００２７】
区分Ｍの部分Ｍ１を保持するスリット７のくぼみが、本体２から間隔を置いて配置されている場合には、区分Ｍの、スリット７から出ていて且つ部分Ｍ１に続く中間部分Ｍ３は、同様に本体２に巻き付けられることなく、スリット７のくぼみと本体２との間の距離に等しい最小長さを有している。足部３があるため、この中間部分Ｍ３も、本体２に巻きつけられることはない。
【００２８】
本発明によるカーラー１の製造を簡単にするためには、足部３及び本体２の両方を、１つの材料からなる１枚のパネルから型打ち成形し、その後互いに結合させる。このようなパネルは、好ましくは、互いに平行な２つの平面を有している。このカーラーのこれらの部分は、縦軸Ｘに対して直角に測定した本体２の幅が、足部３の幅にほぼ等しくなるように切り出す。このようにして、複数のカーラーを１枚のパネルから型打ち成形して、廃棄部分を減少させることができる。本体２及び足部３を型打ち成形するこのパネルの厚みｅは、約１２ｍｍとすることができる。
【００２９】
特定の態様では、本体２は、縦軸Ｘに沿って約２０５ｍｍの長さＬを有しており、縦軸Ｘに対して垂直な約３０ｍｍの幅Ｉを有している。この態様では、本体２の横断面の面積Ｓ１は、約３．６ｍｍ２である。例えば、面４は、長さ約３５ｍｍ、幅約３０ｍｍであり、図２〜４ｂに示す実施態様では少なくとも１つの丸められた周縁部を有している。この態様では、面４の面積Ｓ２は、最小値８ｍｍ２より大きい。面積Ｓ２に対する面積Ｓ１の比は、１より小さくなくてはならず、好ましくは０．２〜０．８であり、さらに好ましくは０．４〜０．６であり、より有利には約０．５である。
【００３０】
別の態様では、本体２及び足部３は、異なる材料から作成することもできる。さらに別の態様では、本体２及び足部３は一体でもよく、ブロックから切り出して中実の本体を形成して単一の部材とすることもできる。
例えば、本体２及び足部３はそれぞれ、発泡体、例えばポリ塩化ビニル（ＰＶＣ）、ポリウレタン、ポリエーテル又はポリエステル発泡体、もしくは天然ゴム（ＮＢＲ）又は合成ゴム（ＳＢＲ）又はブチルゴム、シリコンゴム、ニトリルゴム又はＥＰＤＭ（エチレン−プロピレン−ジエンモノマーコポリマー）ゴムを含むタイプの発泡エラストマーからなっていてよく、好ましくは少なくとも１０％の連続気泡型セルを有している。第１の実施態様では、本体２は独立気泡型発泡体からなっている。したがって、製品がこの発泡体に浸透することは不可能であり、よって発泡体は天然の剛性を有し、均一な巻き付けを行うことが簡単になっている。別の態様では、本体２は、連続気泡型発泡体又は半連続気泡型発泡体からなっていてもよく、これにより、本体２が、製品を吸収し、髪の区分と接触させて保持することが可能となる。
カーラー１が発泡体パネルからなっている場合、型打ちされた壁部は、この壁部に位置させた髪が良好に接着し良好に把持されるように構成されており、発泡体はこの場合連続気泡型である。別の態様では、パネルを別の方法で切断することによって、不浸透性のカーラーの外壁部が得られる。
【００３１】
図１〜４ｂに示す特定の実施態様では、足部３は、丸められた外周面を有し、そのような外周面の途中にスリット７が設けられている。スリット７の入口８は、本体２との結合部から離れている。
【００３２】
図２〜４に示す態様では、スリット７は、結合領域Ｊまでの距離に相当する長さに画定されており、これに対し、図１に示す態様では、スリット７の全長が、この結合部Ｊから距離を置いた位置までの長さに規定されている。別の態様では、図２〜４に示すスリットの全長も、この結合部から所定の距離をおいた位置までの長さに形成することができる。
【００３３】
この本体２の、縦軸Ｘに沿って規定された端面は、それぞれの長さの少なくとも一部に表面凹凸を有していると有利である。例えば、本体２は、少なくとも１つの鋸歯状壁部２６を、好ましくは図２〜４に示すように互いに向き合う少なくとも２つの鋸歯状壁部２６、２７を有する。このような鋸歯状の輪郭を有している本体の型打ち成形は簡単であり、１工程で行うことができる。
特に、この鋸歯部は、規則的に、及び／又は一方の壁部に設けられた２８のような凹部が、もう一方の対向する壁部に設けられた２９のような突起の形態と、縦軸Ｘを中心にして反射像をつくるように製造される。このような互い違いの歯の構成は、間隔の広いねじ山を形成し、このねじ山は、好ましくは、区分Ｍの残部Ｍ２を本体２にらせん状に巻き付けることができるように構成される。この鋸歯部は、一方の壁部に形成された連続する２つの突起２９間の距離が、このようなカーラーに巻き付けられる髪の区分の最大直径の平均にほぼ等しくなるように構成することができる。例えば、この距離は約１５ｍｍである。
【００３４】
別の態様では、本体２は、その外周面にねじ山を有しており、このらせん状の巻き付けを簡単にしている。
よって、髪の区分Ｍを、本体２にらせん状に巻き付けることができる。本体２の鋸歯部の設計が、歯間に間隙がないような近接した巻き付けと、反対に図１に示すような緩い巻き付けとの間での選択を可能にするものであれば、巻き付けのピッチは連続的であっても変化してもよく、また小さくても大きくてもよい。
【００３５】
区分を本体２へこのようにらせん状に巻き付けることによって、第１の端部９から徐々に離れていくカールが得られる。巻き付けの終わりでは、好ましくは区分Ｍの端部Ｐを、例えばアルミニウムホイル又はエンドペーパーのような材料に巻き付け、この端部Ｐを本体２に装着されているアーム１０を用いて固定する。
【００３６】
アーム１０は、縦軸Ｘ方向に沿って第１の端部９から離れた第２の端部１１に形成されている。このアーム１０は、巻き付けが可能である第１の位置と、２つの端部９と１１との間の、髪の区分Ｍが巻き付けられる本体２の中間部分に対し、アームが、アーム１０と本体２の前記中間部分との間で髪の区分の一部を把持できる位置を占める第２の位置とを取ることが可能であるように構成されている。縦軸Ｘに沿う端部９と１１との間に、本体２は、区分Ｍが巻き付けられるいわゆる「中間」部分を有しており、この中間部分は第１の端部９の近くに位置し、前記アーム１０を形成する部分は第２の端部１１の近くに位置している。
このアーム１０は、始めは、第１の位置で、アームの延長の主軸が縦軸Ｘと合致するように形成される。特に、本体２が弾性的に変形可能な材料からなっている場合、アーム１０が区分Ｍを把持するような位置にアーム１０を保持するために、本体２は、半永久的に変形可能な補剛材１２を有し、この補剛材１２は形状記憶性を有していない。したがって、本体２、特にアーム１０を形成している部分が第２の位置へと曲げられた場合、この第２の位置は前記補剛材の存在によって保持され、髪の区分Ｍの一部も、本体の中間部分とアーム１０との間で把持されて保持される。
【００３７】
図示の実施例では、補剛材１２は、本体２を通って縦軸Ｘに沿って延びる銅線である。この銅線は、例えば、本体２内部の一箇所に接着剤を配することにより保持することができる。この線は、本体の外周面から突出して見えないように好ましくは本体２より短い。
特に、端部Ｐをクランプするために、本体２の端部Ｐの近傍に位置する折曲点３０でアーム１０を１８０°回転させる。折曲点３０は縦軸Ｘ上の任意の位置にあってよく、区分Ｍを巻き付ける中間部分と、アーム１０を形成する部分とを分離する。
【００３８】
使用者の髪が短ければ、本体２の鋸歯状領域３１で折り曲げることができる。これに対して、使用者の髪が長く、鋸歯状領域３１の最後の歯にまで巻きつけることができる場合、鋸歯状領域３１と鋸歯なし領域３２との間の境界で折り曲げる。
特に、本体２の鋸歯状領域３１は、縦軸Ｘに沿って本体２の長さの３分の２を占め、鋸歯なし領域３２は、本体２の長さの残りの３分の１を占める。別の態様では、本体２は鋸歯部をその全長にわたって有していても鋸歯部を全く有していなくてもよく、また、それ以外の歯状領域と鋸歯なし領域の分布も本発明の範囲内である。
【００３９】
カーラーを外す時、つまり巻き付けた髪の区分に適用された製品がその作用を終えた時、第２の位置からアーム１０を開いて端部Ｐを解放することによって、カーラー１を取り外す。次に部分Ｍ２を解き、最後に部分Ｍ１を足部３から放す。アーム１０は第１の位置とは異なる第３の位置、つまり区分を巻きつける設計された本体２の部分の縦軸の延長上にアーム１０が位置しない位置に配置することができる。
【００４０】
別の態様では、足部３は、本体２の一方の側から突出している。別の態様では、足部３は、好ましくは頭と接触する領域がより大きくなるように、本体２の第２の側からも突出していてよい。同時に、後者の場合、つまり足部３が本体２の第２の側からも突出している場合には、足部３は、髪の第２の区分に対して第２のスリットを有していてよく、この第２の区分も本体２に巻きつけられる。本発明の目的を考慮すると、頭の頂部を分ける線の両側に規定された区分に対して、特に２つの区分を巻くために１つのカーラーを使用することができる。この場合、全ての髪を処置するために必要な本発明によるカーラーの数はより少なくなる。別の態様では、１つのカーラーが十分な数のスリットを有しており、これらのスリットが適切な方向を向いている場合、１つのカーラーに２つ又は場合によっては３つ以上の区分を巻き付けることができる。必要であれば、鋸歯部は、対応する全ての区分の巻き付けを受容するようにも設計できる。
【００４１】
さらに別の態様では、足部３が本体２の一方の側からしか突出していない場合にも、７のようなスリットを複数設けることにより並列する異なる区分を受容することができる。これらのスリットは、本体２の縦軸Ｘ上へと半径方向に収束していてよい。
【００４２】
以上の説明を通して、特に断りが無い限り、「〜を有している」もしくは「１つの〜を有している」という表現は、「少なくとも１つの〜を有している」という表現と同義であると理解されたい。
【図面の簡単な説明】
【００４３】
【図１】一区分の髪に配置されている本発明によるカーラーの概略図である。
【図２】本発明によるカーラーの側面図である。
【図３】本発明によるカーラーの上面分解図である。
【図４ａ】本発明によるカーラーの足部の一実施態様の上面図である。
【図４ｂ】本発明によるカーラーの足部の別の実施態様の上面図である。
【符号の説明】
【００４４】
１    カーラー
２    本体
３    ベース部分もしくは足部
４    第１の面
５    第２の面、上面
６    角度
７    部分Ｍ１を保持する手段、スリット
８    入口
９    第１の端部
１０    アーム
１１    第２の軸方向端部
１２    補剛材
２２    外壁
２３    端面
２４、２５    縁
２６、２７    鋸歯状壁部
２８    凹部
２９    突起
３０    折曲点
３１    鋸歯状領域
３２    鋸歯なし領域
４０    収容部
Ｊ    結合領域
Ｍ    区分
Ｍ１、Ｍ２、Ｍ３    区分Ｍの部分
Ｐ    区分Ｍの端部
【図１】
2005305161.tif 000003
【図２】
2005305161.tif 000004
【図３】
2005305161.tif 000005
【図４ａ】
2005305161.tif 000006
【図４ｂ】
2005305161.tif 000007
【外国語明細書】
2005305161000001.pdf
2005305161000002.pdf
2005305161000003.pdf
2005305161000004.pdf